(57)【要約】【課題】従来のＨ型鋼を用いた免震床に比べて、低コスト、低床、軽量、かつ施工時間を短縮することができるだけでなく、荷重に対する耐力を大きくすることができると共に、ボールベアリング支持部にボールベアリングを複数設置する場合でもすべてのボールベアリングを床面に接触させることができる免震床構造を提供する。【解決手段】複数のボールベアリング支持部を有するフレーム構造がボールベアリング３０を介して床面上を移動して免震動作を行う免震床構造において、１箇所のボールベアリング支持部に複数のボールベアリング３０を設置し、このボールベアリング支持部には傾斜追従手段２２と高さ調整手段２０とを備えた。【選択図】      図３
2005048400.tif 000002
【特許請求の範囲】
【請求項１】
複数のボールベアリング支持部を有するフレーム構造が、ボールベアリングを介して床面上を移動して免震動作を行う免震床構造において、
前記ボールベアリング支持部に複数のボールベアリングを設置し、
前記ボールベアリング支持部には傾斜追従手段と高さ調整手段とを備えた
ことを特徴とする免震床構造。
【請求項２】
前記フレーム構造の上面にフリーアクセスフロアを設置した請求項１に記載の免震床構造。
【発明の詳細な説明】
【０００１】
【発明の属する技術分野】
本発明は、たとえばフリーアクセスフロア等の床構造に用いられる免震床構造に関するものである。
【０００２】
【従来の技術】
従来の免震床構造としては、特許文献１に掲載された免震床がある。この特許文献１に掲載された免震床は、フリーアクセスフロアパネルを支持するフレーム構造に、Ｈ型鋼よりも断面寸法の大きさが小さく、肉厚が薄い、角筒状パイプやＣ形鋼を用い、ボールベアリングをそれらの角筒状パイプやＣ形鋼の所定位置の内部に収納して設けることにより、従来のＨ型鋼を用いた免震床に比べて、低コスト、低床、軽量、かつ施工時間を短縮することができる免震床を実現したものである。
【０００３】
【特許文献１】
特開平１０−３１７６５８号公報
【０００４】
【発明が解決しようとする課題】
しかしながら、このような従来の免震床にあっては、フレーム構造に複数設けられるボールベアリング支持部の各々にはボールベアリングが１つずつしか設けられていないので、大きな荷重に対する耐力に限界があるという問題があった。また、ボールベアリング支持部の各々にボールベアリングを複数設置する場合には、複数のボールベアリングをすべて床面に接地させることが望ましいが、一般に床面には傾斜や凹凸が存在するため、すべてのボールベアリングを床面に接地させることは困難であるという問題があった。
【０００５】
そこで本発明は、従来のＨ型鋼を用いた免震床に比べて、低コスト、低床、軽量、かつ施工時間を短縮することができるだけでなく、荷重に対する耐力を大きくすることができると共に、ボールベアリング支持部の各々にボールベアリングを複数設置する場合でもすべてのボールベアリングを床面に接触させることができる免震床構造を提供することを課題とするものである。
【０００６】
【課題を解決するための手段】
上記課題を解決するために本発明は、
複数のボールベアリング支持部を有するフレーム構造が、ボールベアリングを介して床面上を移動して免震動作を行う免震床構造において、
前記ボールベアリング支持部に複数のボールベアリングを設置し、
前記ボールベアリング支持部には傾斜追従手段と高さ調整手段とを備えた構成としたものである。
【０００７】
【発明の実施の形態】
以下、本発明の実施の形態について、図面に基づいて具体的に説明する。
図１ないし図７は、本発明の一実施の形態に係る免震床構造を説明するために参照する図である。
【０００８】
図１は、フリーアクセスフロアのフロアパネルを支持する支持脚（図示せず）がその上に立てて載置されるフレーム１１を、連結リブ１２やブレース１３により連結して組立てた状態のフレーム構造を示す平面図である。
【０００９】
フレーム１１は、図３に示すように、コの字状断面を有するＣ形鋼により構成されており、このフレーム１１の、後述するボールベアリングが設けられる所定位置（たとえば図１におけるＡ位置）の内側のボールベアリング支持部には、やはりコの字状断面を有する第一支持金物１４が嵌合して（図３参照）、一対のボルト１６によりフレーム１１に固定されている。
【００１０】
上記ボールベアリング支持部は、フレーム１１と連結リブ１２により形成されるフレーム構造の格子枠四隅部や格子枠長辺の中間点（例えばＡ位置）などに形成される。フレーム構造の上面にフリーアクセスフロアを設置する場合には、ボールベアリング支持部は、フロアパネルの支持脚設置箇所に対応して設置される。
【００１１】
フレーム１１の上記所定位置には丸孔１１ａがあいており（図１，３参照）、この丸孔１１ａに対応して第一支持金物１４にも丸孔１４ａがあいている。そして、第一支持金物１４の内側には、丸孔１４ａと同軸上に配置された固定ナット１８が、溶接等により一体的に固定されている。
【００１２】
さらにこの固定ナット１８のメスネジには、オスネジ部材２０がネジ込まれており、このオスネジ部材２０の上端部には六角穴２０ａが形成されている。そして、この六角穴２０ａ内に工具の六角トルクレンチを嵌合させてネジ回転させることにより、オスネジ部材２０は固定ナット１８の軸線方向（図３中上下方向）に上下移動することができるようになっている。
【００１３】
なお、上記六角穴２０ａの代りに、１本の溝状のすり割り部を形成するようにしてもよい。また、固定ナット１８にはバックラッシュを除去するようなゆるみ止め機構を設け、オスネジ部材２０が容易にゆるんで上下移動することを防止することが望ましい。
【００１４】
図２に示すように、第一支持金物１４には、フレーム１１の幅方向（図中横方向）に平行に配置される一対の軸受板部１４ｂが形成されており、図５に示すように、この一対の軸受板部１４ｂの各先端部（図中下端部）には長孔１４ｃが形成されている。この第一支持金物１４の一対の長孔１４ｃには、図４に示すように、軸ピン２２（軸部材）の両端部が挿入されている。
【００１５】
図４に示すように、第一支持金物１４、第二支持金物２４及び第三支持金物２６は、それぞれ長孔１４ｃ、孔２４ａ，孔２６ａを挿通するピン２２によってボールベアリング支持部を一体的に形成している。
【００１６】
図３に示すように、第三支持金物２６の裏面には、ピン２２に関して左右対称位置に２つのボールベアリング３０が設けられている。すなわち、ボールベアリング３０の転動ボール３０ａを回転自在に保持するホルダー部３０ｂに形成したオスネジ部とナット２８によって第三支持金物２６に固定されている。このとき、第三支持金物２６はピン２２を軸として回転することが可能であるため、２つのボールベアリング３０も第三支持金物２６と共に回転する（傾斜追従手段）。
【００１７】
上記構成を有するボールベアリング支持部は、床面上に傾斜部が存在している場合でも、第三支持金物２６が傾斜部に追従するように回転するため、２つのボールベアリング３０の転動ボール部３０ａが共に床面に接地することが可能となる。
【００１８】
また、図３及び図４に示すように、第二支持金物２４及び第三支持金物２６は、第一支持金物１４の長孔１４ｃにより、ピン２２と共に上下方向に移動可能である。すなわち、オスネジ部材２０を上下方向に移動させることにより、第二支持金物２４が上下方向に移動するため、第三支持金物２６に設置した２つのボールベアリング３０も上下方向に移動する（高さ調整手段）。
【００１９】
上記構成を有するボールベアリング支持部は、床面上に凹凸部が存在している場合でも、第三支持金物２６の高さ調整が可能であるため、２つのボールベアリング３０の転動ボール部３０ａが共に床面に接地することが可能となる。
【００２０】
なお、前記実施の形態においてはフレーム構造の各所定位置毎にボールベアリング３０を２つずつ設けた場合について説明したが、上記各所定位置毎にボールベアリングを３つ以上設けるようにしてもよい。この場合は前記実施の形態における軸ピン２２の代りに、図８，９に示すようなボールジョイントを用いることにより、コンクリート床面の状態にかかわらず３つ以上のボールベアリングを常に床面に接触させることができる。
【００２１】
図８に示すボールジョイントは、フレーム１１の内側に嵌合する第一支持金物３４の内側にそのホルダー部３６が設けられ、このホルダー部３６内にはボール部３８があらゆる方向に回動自在に結合されている。ボール部３８の図中下端部には、図９に示すような円板状の第二支持金物４０が固定されており、図８中第二支持金物４０の下面部には、図９に示すような３箇所の位置に計３個のボールベアリング３０が設けられている。
【００２２】
また、前記実施の形態における第一支持金物１４には２つのボールベアリング３０をフレーム１１の幅方向と平行方向に並べて設けた場合について説明したが、２つのボールベアリング３０はフレーム１１の長さ方向と平行方向に並べて設けるようにしてもよい。
【００２３】
また、前記実施の形態においては、フレーム構造の上面にフリーアクセスフロアを設置する場合について説明したが、フレーム構造の上面にフリーアクセスフロアを設置しない、通常の免震床構造に本発明を適用することも可能である。
【００２４】
また、前記実施の形態においてはボールベアリングが床面に接触して転動することにより免震作用をするものであるが、ボールベアリングが床面上に転動し易くするために、床面上に鋼板等を敷設することが望ましい。
【００２５】
さらに、前記実施の形態においてはボールベアリング支持部に２つのボールベアリングを設置した場合について説明したが、場所によって、ボールベアリング支持部にボールベアリングを１つ設置したものや、ボールベアリングを３つ設置したものを混在させて用いることも可能である。
【００２６】
【発明の効果】
以上に説明したように、本発明による免震床構造によれば、従来のＨ型鋼を用いた免震床に比べて、低コスト、低床、軽量、かつ施工時間を短縮することができるだけでなく、荷重に対する耐力を大きくすることができると共に、ボールベアリング支持部にボールベアリングを複数設置する場合でもすべてのボールベアリングを床面に接触させることができる。
【図面の簡単な説明】
【図１】フレーム１１に連結リブ１２やブレース１３を連結して組立てたフレーム構造を示す平面図である。
【図２】図１におけるフレーム構造のＡ部の部分拡大図である。
【図３】図２におけるフレーム１１等のＢ−Ｂ線断面図である。
【図４】図２におけるフレーム１１等のＣ−Ｃ線断面図である。
【図５】図３における第一支持金物１４を示す中心断面図である。
【図６】図３における第二支持金物２４を示す中心断面図である。
【図７】図３における第三支持金物２６を示す中心断面図である。
【図８】ボールジョイントを用いたボールベアリング支持部を示す断面図である。
【図９】ボールジョイントを用いたボールベアリング支持部を示す下面図である。
【符号の説明】
１１  フレーム
１１ａ  丸孔
１２  連結リブ
１３  ブレース
１４  第一支持金物
１４ａ  丸孔
１４ｂ  軸受板部
１４ｃ  長孔
１６  ボルト
１８  固定ナット
２０  オスネジ部材
２０ａ  すり割り部
２２  軸ピン
２４  第二支持金物
２４ａ  孔
２６  第三支持金物
２６ａ  孔
３０  ボールベアリング
３０ａ  転動ボール部
３０ｂ  ホルダー部
３４  第一支持金物
３６  ホルダー部
３８  ボール部
４０  第二支持金物
【図１】
2005048400.tif 000003
【図２】
2005048400.tif 000004
【図３】
2005048400.tif 000005
【図４】
2005048400.tif 000006
【図５】
2005048400.tif 000007
【図６】
2005048400.tif 000008
【図７】
2005048400.tif 000009
【図８】
2005048400.tif 000010
【図９】
2005048400.tif 000011